(57)【要約】【課題】操作性と動作視認性とを兼ね備え、かつ、安全性の向上を図ったガスコンロを提供する。【解決手段】コンロ本体と、前記コンロ本体の上部を覆う天板１に操作部６及び表示窓５を前記天板１上面に配置するとともに、バ−ナ２の設置領域と操作表示部の設置領域を発光状態で視認する区画視認部４を設け、前記区画視認部４はコンロ本体の作動状態に応じて発光状態を変化させるとともに、動作表示器１５とＬＥＤを設けたプリント基板１０と凹部２７を設け，前記凹部２７の側面の一部に導光貫通穴２６をあけ、前記凹部２７に導光棒１１を挿入したケ−シング９と一体化した天面操作ユニットを有する構成としてある。【選択図】図１
2007139310.tif 000002
【特許請求の範囲】
【請求項１】
コンロ本体と、前記コンロ本体の上部を覆う天板と、前記コンロ本体内に設け前記天板上に臨む複数のバ−ナと、前記バ−ナへのガスの供給と遮断を行うとともにガスの流量を制御するガス流量制御装置と、前記ガス流量制御装置に駆動信号を供給する制御手段と、前記制御手段に静電容量の変化で所定の操作信号を入力指示する操作部と、前記コンロ本体の動作状態を表示する表示窓とを備え、前記操作部及び表示窓を前記天板上面に配置するとともに、前記バ−ナの設置領域との間に指定幅の境界域を設けたガスコンロであって、前記境界域には、バ−ナの設置領域と操作表示部の設置領域を発光状態で視認する区画視認部を設け、前記区画視認部はコンロ本体の作動状態に応じて発光状態を変化させるとともに、動作表示器とＬＥＤを設けたプリント基板と凹部を設け、前記凹部の側面の一部に導光貫通穴をあけ、前記凹部に導光棒を挿入したケ−シングと一体化した天面操作ユニットを有するガスコンロ。
【請求項２】
上記天面操作ユニットを天板下層に配置したトップ裏板補強板にあけた開口部に固定することを特徴とした請求項１記載のガスコンロ。
【請求項３】
上記天面操作ユニットの導光棒に導光ガイド部を設け、前記導光ガイド部にケ−シングに挿入した後に遮光カバ−を貼りつけたことを特徴とした請求項１記載のガスコンロ。
【請求項４】
上記ケ−シングの導光棒が挿入される凹部は白色系の樹脂で形成されたことを特徴とした請求項１記載のガスコンロ。
【請求項５】
上記導光棒に導光ガイド部を複数個設け、前記導光ガイド部に向けて斜めにＬＥＤの光が当たるように配設したことを特徴とした請求項１記載のガスコンロ。
【請求項６】
上記導光棒の一部に凸部を設け、ケ−シングの凹部の形状を導光棒の形状に合わせて挿入するようにしたことを特徴とした請求項１記載のガスコンロ。
【請求項７】
上記導光棒の上方の天板部を強化されたガラスとし、前記天板の裏面に区画視認部周囲の印刷は３層または２層印刷とし、区画視認部には拡散メジウム印刷を施したことを特徴とした請求項１記載のガスコンロ。
【発明の詳細な説明】
【技術分野】
【０００１】
本発明は、一般家庭で使用するガスコンロに関し、特に操作部及び表示部の構成に係わるものである。
【背景技術】
【０００２】
従来のガスコンロは、一般に加熱手段となるバ−ナの点火−消火（以下ＯＮ−ＯＦＦという）及び火力調節は、器具本体であるコンロ本体の略垂直な前側面に設けた操作部で行っている。また、操作部をコンロ本体の天板上に設けたものにあっては、コンロ本体の両側どちらか一方に設けるように構成したものがある。（例えば、特許文献１参照）。
【０００３】
この特許文献１の構成は図１０に示すようにコンロ本体は、天板１をカウンタ−トップ７に載せて組み込み、そして天板１上に併設したバ−ナ２は手動機械式のガスコック３１を介してガスを供給するように構成しており、ガスコック３１の操作部となる摘み３０が天板１の上面における左右どちらかに突出して設けなければならなくなる。  
【特許文献１】特開２００１−２６３６８２号公報
【発明の開示】
【発明が解決しようとする課題】
【０００４】
しかしながら、上記従来の前者の構成では、コンロ本体前側面の操作部でバ−ナのＯＮ−ＯＦＦおよび火力調節を行う場合、その操作部が通常、腰の高さにあり、身体を折り曲げる、または屈み込む等の不自然な姿勢を強いられ、操作がし難いのと操作の結果を見て確認視認性が悪かった。
【０００５】
また、操作部である摘み３０がコンロ本体の天板１上にある上記従来の後者の構成では、ガス流量制御部と操作部が一体となった手動機械式のガスコック３１がバ−ナ２にガスを供給するための配置がバ−ナの位置を考慮しなければななく、一方、ガスコック３１の操作部である摘み３０はガスコック３１の配置と操作性に制約される等で、操作性のみを考慮して天板１上に摘み３０を配置できず、また摘み自体の容積も大きく、極めて限られたスペ−スに限られた機能しか設けることができない。
【０００６】
また、摘み３０が高さを有するので、バ−ナ２の火炎の熱影響を受けて熱くなることが予想されるとともに、天板１上に突き出ているため天板１の拭き掃除等がし難い欠点を有している。
【０００７】
また、摘み３０は天板１の左右いずれかに設けているので、カウンタ−トップ７のスペ−スを摘み３０の設置スペ−ス分だけ狭くすることになったり、摘み３０を複数設ける場合、天板１の手前側から奥方向に複数の摘みを並べることになるため、奥に設けた摘みほど操作性が悪くなることが考えられる。
【０００８】
本発明は、上記従来の課題を解決するもので、楽な姿勢で操作を行え、かつ視認性のよい操作部、表示部を備えるとともに、バ−ナを設置した高温領域と操作表示部を配置した低温領域を明確に区別することで、使い勝手と安全性を両立させたガスコンロを提供することにある。
【課題を解決するための手段】
【０００９】
前記従来の課題を解決するため、本発明のガスコンロは、コンロ本体と、前記コンロ本体の上部を覆う天板と、前記コンロ本体内に設け前記天板上に臨む複数のバ−ナと、前記
バ−ナへのガスの供給と遮断を行うとともにガスの流量を制御するガス流量制御装置と、前記ガス流量制御装置に駆動信号を供給する制御手段と、前記制御手段に静電容量の変化で所定の操作信号を入力指示する操作部と、前記コンロ本体の動作状態を表示する表示窓とを備え、前記操作部及び表示窓を前記天板上面に配置するとともに、前記バ−ナの設置領域との間に指定幅の境界域を設けたガスコンロであって、前記境界域には、バ−ナの設置領域と操作表示部の設置領域を発光状態で視認する区画視認部を設け、前記区画視認部はコンロ本体の作動状態に応じて発光状態を変化させるとともに、動作表示器とＬＥＤを設けたプリント基板と凹部を設け前記凹部の側面の一部に導光貫通穴をあけ、前記凹部に導光棒を挿入したケ−シングと一体化した構成としたものである。
【００１０】
上記発明によれば操作部を天板上面の使用者に近い場所に配置でき、操作性と視認性の向上が図れるとともに、操作部及び表示部は、バ−ナを設置した高温領域と区別できる明瞭な発光が可能な区画視認部を４種類の部品で安価に組立ても容易に構成することができ、使用者に高温領域と低温領域を確実に認識してもらうことができる。
【発明の効果】
【００１１】
本発明のガスコンロは、ガス流量制御装置およびその制御手段の設置位置とは無関係に自由に操作部を配置することができ、操作部を天板上面の使用者に近い場所に配置することで、操作性と視認性の向上が図れるとともに、操作部及び表示部は、バ−ナを設置した高温領域と区別して配置し、その境界域に安価で組立性もよく確実に発光可能な区画視認部を設けているため、コンロが停止している時の発光停止状態からコンロが作動したときの発光状態に変化することで、使用者に高温領域と低温領域を確実に認識してもらうことができ、高温領域に触れたり、低温領域に鍋を載せるという行為を未然に回避する注意喚起を行うことができる。
【発明を実施するための最良の形態】
【００１２】
第１の発明は、コンロ本体と、前記コンロ本体の上部を覆う天板と、前記コンロ本体内に設け前記天板上に臨む複数のバ−ナと、前記バ−ナへのガスの供給と遮断を行うとともにガスの流量を制御するガス流量制御装置と、前記ガス流量制御装置に駆動信号を供給する制御手段と、前記制御手段に静電容量の変化で所定の操作信号を入力指示する操作部と、前記コンロ本体の動作状態を表示する表示窓とを備え、前記操作部及び表示窓を前記天板上面に配置するとともに、前記バ−ナの設置領域との間に指定幅の境界域を設けたガスコンロであって、前記境界域には、バ−ナの設置領域と操作表示部の設置領域を発光状態で視認する区画視認部を設け、前記区画視認部はコンロ本体の作動状態に応じて発光状態を変化させるとともに、動作表示器とＬＥＤを設けたプリント基板と凹部を設け前記凹部の側面の一部に導光貫通穴をあけ、前記凹部に導光棒を挿入したケ−シングと一体化したことを特徴とするものである。
【００１３】
そして、バ−ナへのガスの供給と遮断を行うガス流量制御装置を電気信号で駆動する弁駆動手段を用いて構成することで、操作信号を入力する操作部や表示部は前記ガス流量制御装置やその制御手段の設置位置に左右されることなく独立して自由な位置に設置することができ、バ−ナの火炎による熱的影響、操作性、視認性等を考慮し、天板上の温度的に設置可能なバ−ナの熱影響少ない天板の上面の周辺部に配置することが可能となり、操作性、視認性を向上することができるとともに、前記操作部及び表示部はバ−ナを設置した高温領域と区別して配置し、その境界域に発光状態で視認する区画視認部を設け、前記区画視認部は明瞭な発光ができるように４種類の部品で安価に組立ても容易な構成とし、コンロが停止しているときの発光停止状態からコンロが作動した時の発光状態に変化することで、使用者に高温領域と低温領域を確実に認識してもらうことができ、高温領域に触れたり、低温領域に鍋を載せるという行為を未然に回避する注意喚起を行うことができる。
【００１４】
第２の発明は、天面操作ユニットを天板下層に配置したトップ裏板補強板にあけた開口部に固定することを特徴とするものである。
【００１５】
そして、天板の表示窓に位置ずれすることなく確実に動作表示器を設置することができ使用者の視認性を高め、区画視認部に位置ずれすることなく確実に導光棒を配置することが可能となり明瞭な発光が可能な区画視認部となり使用者に高温領域と低温領域を確実に認識してもらうことができる。
第３の発明は、区画視認部に取り付ける天面操作ユニットの導光棒に導光ガイド部を設け、前記導光ガイド部にケ−シングに挿入した後に遮光カバ−を貼りつけたことを特徴とするものである。
【００１６】
そして、ＬＥＤの光をあてた導光棒の導光ガイド部の光もれを防止することができ天板に導光ガイド部の光が透けてしまうといったことを防ぐことができる。またケ−シングの金型構成を簡略化でき安価で組立て性の良好な天面操作ユニットが構成可能となり、明瞭な発光が可能な区画視認部となり使用者に高温領域と低温領域を確実に認識してもらうことができる。
第４の発明は、ケ−シングの導光棒が挿入される凹部は白色系の樹脂で形成されたことを特徴とするものである。
そして、ＬＥＤの光をあてた導光棒の発光効率があがり明瞭な区画視認部を実現することができ、使用者に高温領域と低温領域を確実に認識してもらうことができる。
【００１７】
第５の発明は、導光棒に導光ガイド部を複数個設け、前記導光ガイド部に向けて斜めにＬＥＤの光が当たるように配設したことを特徴とするものである。
【００１８】
そして、プリント基板の幅を小型化できるとともに導光棒の幅を大きく取ることができ操作表示部の略全幅にわたって区画視認部を直線状に配置することが可能となり使用者に高温領域と低温領域を確実に認識してもらうことができる。
【００１９】
第６の発明は、導光棒の一部に凸部を設け、ケ−シングの凹部の形状を導光棒の形状に合わせて挿入するようにしたことを特徴とするものである。
【００２０】
そして、導光棒の上下反対に取り付けるといった組み立て間違いを防止することができ、ケ−シングへの位置きめも確実に行うことが可能となりＬＥＤの光を正確に導光ガイド部に導くことができ明瞭な発光ができる区画視認部が実現できる。
【００２１】
第７の発明は、導光棒の上方の天板部を強化されたガラスとし、前記天板の裏面に区画視認部周囲の印刷は３層または２層印刷とし、区画視認部には拡散メジウム印刷を施したことを特徴とするものである。
【００２２】
そして、天板面の区画視認部周囲へのＬＥＤの光漏れを防止することが可能となり明瞭な発光が可能な区画視認部が実現でき、使用者に高温領域と低温領域を確実に認識してもらうことができる。
【００２３】
以下、本発明の実施の形態を図面を参照して説明する。なお、本実施の形態によって本発明が限定されるものではない。
【００２４】
（実施の形態１）
図１は本発明の実施の形態１におけるガスコンロの要部断面図、図７は同ガスコンロをカウンタ−トップに組み込んだ時の外観斜視図である。
【００２５】
図において、本発明のガスコンロは、カウンタートップ７にコンロ本体を落とし込みながら固定し、コンロ本体を覆うようにガラス板を用いる天板１をカウンタートップ７上面に設置する。天板１には開口を設けバ−ナ２を設置し、バ−ナ２前方に区画視認部４を設け、その更に前方に表示窓５を各バ−ナ２に対応するようにそれぞれ設置する。前記表示窓５は強化されたガラスを用いる天板３の裏面の印刷を施さず透明なくり抜き状態としてその表示窓５下方に設置した液晶やＬＥＤで構成されるコンロの点火状態や火力等の動作表示が視認可能な動作表示器１５を設置する。
【００２６】
前記天板１の動作表示器１５の前方にはガラス裏面に両面テ−プ等で貼り付けた静電容量の変化を検知する静電スイッチ８を貼り付け、その上方の天板３の裏面に前記静電スイッチ８の電極に対応させた操作部６を配置する。この構成によりコンロ本体前方より操作部６に触れるだけでバ−ナ２の点火や消火、火力調節といった一連の操作を行うことができるとともに、液晶表示等の動作表示器１５にその動作状態が表示窓５を通して表示されるため、使い勝手もよく視認性のよい天面操作式コンロの構成が可能である。
【００２７】
天板１は周囲をコの字型に加工されたトップ枠３により挟み込まれる構成であり、前記天板１の裏側にはガラスの強度を確保するためにトップ裏面補強板１９で受ける構成としており、このトップ裏面補強板１９も前記トップ枠３に挟み込まれ天板３を形成している。
【００２８】
トップ裏面補強板１９のバ−ナ２前方には補強板開口部２１をあけ、前記補強板開口部２１のトップ枠３側には開口部爪２０を形成させる。この開口部爪２０には樹脂で作成されるケ−シング９の端部を引っ掛けることが可能である。前記補強板開口部２１には、複数個のビス固定部を設け、ケ−シング９をトップ裏面補強板１９に固定することができる。すなわち天板１とケ−シング９は固定することにより一体化することが可能となる。
【００２９】
ケ−シング９は中央が貫通された構成で、天板１上の区画視認部４の下方にケ−シング凹部２７を形成し、前記ケ−シング凹部２７には導光棒１１を埋設することができる。ケ−シング凹部には導光貫通部２６を設け、導光棒１１には導光ガイド部１２を設け、前記導光貫通部２６により導光ガイド部１２はプリント基板１０側へ貫通することが可能となる。
【００３０】
ケ−シング９にはプリント基板１０を組立てることができ、前記プリント基板には静電スイッチからの信号を処理するマイコン等の制御手段１６や、液晶等の動作表示器１５や前述した導光ガイド部１２に光を照射するＬＥＤ１４を配置した構成とした。ＬＥＤ１４から照射された光源は導光棒１１の導光ガイド部１２にあたることにより導光棒１１の上方面を赤や青色等に光らせることが可能となる。なおその際にＬＥＤ１４から照射された光は器具内のみならず、天板１の下方にまで広がり、遮光するような構成としなければ光が天板１上や、動作表示器１５などに漏れてしまうといった課題を有している。本構成ではＬＥＤ１４をケ−シング９およびプリント基板１０により遮光するとともに導光ガイド部１２からの光漏れも白色テ−プ等により構成された遮光カバ−１３により遮光可能となる。
【００３１】
操作部６に触れることにより静電容量の変化を検知できる静電スイッチ８の信号はプリント基板１０上の制御手段１６により処理され前記プリント基板１０よりバ−ナ２へのガスの供給と遮断を行うとともにガスの流量を制御するガス流量制御装置１８へ送られる。なおその際に天板１とコンロ本体は施工のために着脱可能とせねばならないためコネクタ−１７によりプリント基板１０とガス流量制御手段１８を接続する構成としている。
【００３２】
図２は同実施の形態１におけるガスコンロの上面概略図である。
【００３３】
図において、本発明の天板１は厚さ６ｍｍ程度のガラス板で構成され天板１上にはガラス板に開口を設けバ−ナ２を通常は大、中、小コンロの３つであるが複数個設置する。この前記バ−ナ２それぞれの前方には動作を表示する表示窓５およびそれぞれのバ−ナに対応した操作部６を配置する。このことにより、使用者は自分がどのバ−ナを操作しているのかが容易に判断可能であり、その動作状態もそれぞれのバ−ナの前方に配置した表示窓５を見ることにより火力や点火、消火状態を確認できる。また、バ−ナ２から離れた距離に操作部６を配置することができ、天板１のバ−ナ２周囲の高温領域ではなく低温領域での操作が可能である。なお、この際に使用者が誤ってバ−ナ周囲の高温領域に手をもっていくことが予想されるが、操作部６および表示窓５と前記バ−ナ２との境界領域に可能な限り幅を広くとった区画視認部４を設け、前記区画視認部４はコンロが作動するとともに発光状態に変化が可能である構成とした。
【００３４】
以上のように、本実施の形態においては、バ−ナ２の周辺の高温領域と操作部６および表示窓５の低温領域を使用者に容易に認知させることができ区画視認させることが可能となり、高温領域に触れてやけどといったことを未然に防ぐことができる。    
【００３５】
なお、本実施の形態では、組み込み型ガスコンロについて記述したが卓上型ガスコンロにおいても同様の効果が得られる。
【００３６】
（実施の形態２）
図８は、本発明の実施の形態２におけるガスコンロの天板部の組み立て概略斜視図である。ガラスで形成された天板１の下方にトップ裏面補強板１９を金属板成型したもので作成し、前記ガラス天板１を保持する構成としている。トップ裏面補強板１９の前方には天板１に形成される区画視認部４および表示窓５及び、操作部６が接合する部分に補強板開口部２１を設け、前記補強板開口部２１の大きさは天面操作ユニットであるケ−シング９が入る大きさで形成される。すなわちこの補強板開口部２１部においてはガラス天板１が剥き出しになった状態であり、ケ−シング９をガラス天板１裏面に押し当てるように設置することが可能である。ケ−シング９には液晶等の動作表示器１５や導光棒１１が配置されこれらはガラス天板に形成された区画視認部４や表示窓５に一致して組立てされなければならない。位置ずれをおこしてしまうと区画視認部４がうまく光らなかったり、光に色むらがでたりするといった課題がある。また、表示窓５にうまく液晶等の動作表示器１５のキャラクた−が表示されないといった不具合が生じる。本構成ではケ−シング９とトップ裏面補強板１９とをビス固定等で位置決め固定する構成とした。
【００３７】
以上のように、本実施の形態においては、天板１とケ−シング９で構成される天面操作ユニットを一体化することにより、液晶等の表示や区画視認部４の光源を位置ずれなく良好に表示することができ、また施工時の組立て性もよくなり視認性もよく使い勝手のよいガスコンロを提供することができる。
【００３８】
（実施の形態３）
図３は本発明の実施の形態３におけるガスコンロの天面操作ユニットの組立概略図、図４はケ−シングの概略図である。なお、実施の形態１と同一符号のものは、同一構造を有し、説明は省略する。以下その動作、作用を説明する。
【００３９】
図３、図４において、本発明のガスコンロの天面操作ユニットは、前述したケ−シング９の一部にケ−シング凹部２７を形成する構成とし、ケ−シング凹部２７の端面の一部にはＬＥＤの個数に応じて導光貫通穴２６をあける構成とし、前記ケ−シング凹部２７にはポリカ−ボネ−ト等の透明な樹脂で作成された導光棒１１を挿入することができる。
【００４０】
図６を用いて導光棒１１について説明する。導光棒１１には導光ガイド部１２を形成させ前記導光棒１１の形状とケ−シング９の形状はほぼ同一の形状とし、導光ガイド部１２もケ−シング９のケ−シング凹部２７に沿った形で上方から導光棒１１をケーシング９に挿入する。導光棒１１へは図５に示すＬＥＤ１４の光源を導光貫通部２６を通過してその光源は導光ガイド部にあてられる構成とした。導光棒１１の上方面には金型でシボ加工を施し、発光効率を上げる構成としている。この導光棒１１をケーシング９に上方から挿入した場合、導光ガイド部１２の部分も発光してしまい、ガラス天板１上にその光が透けて見えてしまうといった課題を有している。また、区画視認部４の光の色むらを起こしやすいといった課題もあった。
【００４１】
本構成のケ−シング９には前記導光ガイド部１２の上方面に白色テ−プ等により遮光カバ−１３を貼り付ける構成とした。遮光カバ−１３は導光ガイド部１２の光を遮光することが可能となる。
【００４２】
以上のように、本実施の形態においては、簡単な形状でケ−シング９を構成でき、発光構成が可能な導光棒１１を簡単に組立てでき、更に遮光カバ−１３を設けることにより、より組立てが簡略化でき、しいては明瞭な発光が可能な区画視認部４の構成が可能となる。
【００４３】
実施の形態４）
図４は、前述したがケ−シングの概略図である。本発明の実施の形態４におけるガスコンロは前記ケ−シング９の導光棒１１が挿入されるケ−シング凹部を樹脂等で構成し、更にその樹脂を白色系の色で形成させた構成とした。
【００４４】
この構成によるとＬＥＤ１４の光源は導光棒１１に導光され周囲に光を発散させるがその際に白色系色にすることにより、光を反射させることができ、導光棒１１の発光部の発光効率を高める効果が期待できる。またガラス天板上方から見た区画視認部４は半透明な状態であり器具内部すなわち導光棒１１やケーシング９の一部が透けて見えてしまう。この際にケ−シング９の色を白色化しておけば区画視認部４が透けてしまった場合でも美観に優れる天板１を実現できる。
【００４５】
以上のように、本実施の形態においては、ケ−シング９の色を白色化することにより、導光棒１１の発光効率を高め、更に美観に優れた区画視認部４が可能となり、使用者に高温領域と低温領域の識別を十分に行える。
【００４６】
（実施の形態５）
図５は実施の形態５のガスコンロのプリント基板の概略図、図６は同導光棒の概略図を示す。
【００４７】
プリント基板１０には表示器台２５を配置し、その上方に液晶等の動作表示器１５を設置する。プリント基板上に構成された配線パタ−ンにより、静電スイッチ８の信号を処理する制御手段１６で操作部６で受け付けた信号をガス流量制御装置１８へコネクタ−１７を介して配線している。プリント基板１０上にはＬＥＤ１４を複数個配置した構成とする。一方前記プリント基板１０はケ−シング９に組み付けるわけだがケ−シング９の大きさは限られたスペ−ス特に限られた幅でしか構成できない。すなわちプリント基板の大きさも限られた幅でしか構成できない。
【００４８】
しかしながら導光棒１１の幅は視認性を高めるためできるだけ幅が広いことが要求される。導光棒を光らせる最も簡略な手段はＬＥＤ１４の光源を導光棒１１の左右横から照射すればその要求を満たすことができるが、その構成にしてしまうと、プリント基板１０上
の端部にＬＥＤを横に向けて配置せねばならず、導光棒１１の幅が狭くなってしまうといった課題を有している。本構成の実施の形態では導光棒１１に導光ガイド部１２を複数個設けて前記導光ガイド部１２に向けてＬＥＤ１４を斜めに向けて照射した構成としたものである。
【００４９】
以上のように、本実施の形態においては、導光棒１１に複数個のＬＥＤ１４の光源を当てることにより導光棒１１の幅を最大限広く構成することが可能となり、また複数個の導光ガイド部１２を設けたことによりまんべんなくむらなく導光棒１１を発光させることができ、視認性のよい区画視認部４を実現することが可能となる。
【００５０】
（実施の形態６）
図６は導光棒１１の概略図を示す。導光棒１１は前述のようにケ−シング９のケ−シング凹部２７に挿入するわけだが、導光棒１１には金型で形成されたシボ加工を施した発光面を有する。すなわち発光面をガラス天板側へ組立てる必要がある。一方、導光棒１１は光の色むらをなくす為にできるだけ左右対称に作成することが望ましいが，左右対称に導光棒１１を作成してしまうと上下さかさまに組みつけられ，発光面が裏側に組みつけられるといった課題があった。本実施の形態の導光棒１１は一部に誤勘合爪２９を設けた構成とし、更にケ−シング９のケ−シング凹部２７の一部に前述の誤勘合爪２９に一致した部分に誤勘合凹部を設けた構成としたものである。
【００５１】
以上のように、本実施の形態においては、導光棒１１に凹部、ケーシング凹部に凹部を設けることにより導光棒１１の上下誤勘合を未然に防止することができ、組立て不具合による区画視認部４の発光不良を防ぐことが可能となり、視認性のよい区画視認部４を実現することが可能となる。
【００５２】
（実施の形態７）
図９は本実施の形態のガスコンロの天板ガラスの印刷概略図を示す。ガラス天板１上に配置された区画視認部４は明瞭な横一文字の長方形で発行させるのが望ましい。また使用者は一般的に器具斜め上方から区画視認部４を見ることが多く、視野角も考慮した構成が必要となる。本実施の形態ではガラス天板１の裏面に区画視認部４周囲の印刷表面は天板１の意匠を高める為シルバ−メタリック色等の無機印刷２３を塗装し、その下層に３層または２層の裏打ち印刷２４を塗装し、区画視認部４には拡散メジウム印刷２２を施した構成としたものである。強化ガラス裏面に塗装しようとした場合印刷の膜厚は一般的に薄く１層印刷では導光棒１１の発光面から拡散した光が透けて見えてしまい、区画視認部４が明瞭に発光しないといった課題があった。区画視認部４の周囲に３層または２層の裏打ち印刷２４を施すことにより、導光棒１１から拡散された光を遮光することが可能となり、導光棒１１から拡散された光はすぐ上方に印刷された拡散メジウム印刷を通過することにより、適度に拡散されて明瞭で視認性がよく、斜めからみてもはっきり発光する区画視認部４を形成することができる。
【００５３】
以上のように、本実施の形態においては、簡単な印刷構成で視認性がよく、明瞭な発光可能な区画視認部４を形成することができる。
【産業上の利用可能性】
【００５４】
以上のように、本発明はガス流量制御装置およびその制御手段とは別個に操作部を天板の上面における周辺部に配置することができ、かつ、バ−ナが設置された高温領域と操作部が設置された低温領域を区画視認部の発光により明確に区別することができるため、ガスコンロ、ガステ−ブル等の操作部分を改善する技術に適用できる。
【図面の簡単な説明】
【００５５】
【図１】本発明の実施の形態１におけるガスコンロの要部断面図
【図２】同ガスコンロの上面概略図
【図３】同ガスコンロの天面操作ユニットの組立概略図
【図４】同ガスコンロのケ−シングの概略図
【図５】同ガスコンロのプリント基板の概略図
【図６】同ガスコンロの導光棒の概略図
【図７】同ガスコンロのカウンタ−トップ組み込み時の外観斜視図
【図８】同ガスコンロ組み立て概略斜視図
【図９】同ガスコンロの天板ガラスの印刷概略図
【図１０】従来のガスコンロの概略断面図
【符号の説明】
【００５６】
１  天板
２  バ−ナ
３  トップ枠
４  区画視認部
５  表示窓
６  操作部
７  カウンタ−トップ
８  静電スイッチ
９  ケ−シング
１０  プリント基板
１１  導光棒
１２  導光ガイド部
１３  遮光カバ−
１４  ＬＥＤ
１５  動作表示器
１６  制御手段
１７  コネクタ−
１８  ガス流量制御装置
１９  トップ裏面補強板
２６  導光貫通穴
２７  ケ−シング凹部
２８  誤勘合凹部
【図１】
2007139310.tif 000003
【図２】
2007139310.tif 000004
【図３】
2007139310.tif 000005
【図４】
2007139310.tif 000006
【図５】
2007139310.tif 000007
【図６】
2007139310.tif 000008
【図９】
2007139310.tif 000009
【図１０】
2007139310.tif 000010
【図７】
2007139310.tif 000011
【図８】
2007139310.tif 000012